(57)【特許請求の範囲】
【請求項１】
爆燃燃料／オキシダント混合物で稼動する連続爆轟波エンジンであって、
少なくとも１つの爆燃チャンバ（３）と、
上流にて前記爆燃チャンバに爆燃混合物を連続的に噴射するための噴射システム（４）と、を含んでおり、
前記爆燃チャンバは、前記上流に提供された噴射基部（１０）と、該噴射基部の両側でそれぞれ延出する２つの壁部（１２、１３）とを含んでおり、  
本爆轟波エンジンは、
爆轟波（２２）を前記爆燃混合物内で発生させるために前記爆燃チャンバ（３）内に設置されている発生手段（８）をさらに含んでおり、
前記爆轟波は前記爆燃混合物内を伝播し、連続的に自動的に爆轟波を発生させ、高温ガスを連続的に生成して前記爆燃チャンバの下流端（９）を通って逃避させる構成であり、
前記爆燃チャンバ（３）は長さが開いた線（１７、１８）で定められる噴射基部（１０）を含んでおり、横断面が長形形状の爆燃チャンバを形成し、
前記噴射システム（４）は、前記燃料／オキシダント混合物を前記噴射基部（１０）の少なくとも１つの部分（２０）にて前記爆燃チャンバ（３）内に噴射させるように設計されていることを特徴とする爆轟波エンジン。
【請求項２】
前記噴射基部（１０）は開いた曲線（１７）で定められることを特徴とする請求項１記載の爆轟波エンジン。
【請求項３】
前記噴射基部（１０）は開いた直線（１８）で定められることを特徴とする請求項１記載の爆轟波エンジン。
【請求項４】
前記噴射システムは可変長にわたって噴射を提供できることを特徴とする請求項１または３記載の爆轟波エンジン。
【請求項５】
本爆轟波エンジンは、前記爆燃チャンバのために少なくとも１つの冷却回路を含んでおり、冷却回路燃料は前記爆燃チャンバ内に噴射される前に、前記冷却回路中を循環できることを特徴とする請求項１から４のいずれかに記載の爆轟波エンジン。
【請求項６】
前記冷却回路は前記爆燃チャンバの少なくとも１つの側壁に沿って、少なくともその長さの一部にわたって延出することを特徴とする請求項５記載の爆轟波エンジン。
【請求項７】
前記爆燃チャンバ（３０）は分岐部（２７）を前記噴射基部（１０）に有しており、前記分岐部を越えて少なくとも２つの長形枝部（２８、２９）を設けており、それぞれの枝部には前記噴射システム（４）によって爆燃混合物が供給されることを特徴とする請求項１から６のいずれかに記載の爆轟波エンジン。
【請求項８】
前記噴射システム（４）は、互いに独立的で、継時的に可変である異なる長さにわたって、前記枝部（２８、２９）に供給できることを特徴とする請求項７記載の爆轟波エンジン。
【請求項９】
環状爆燃チャンバ（３３、３６）をさらに含んでおり、分岐チャンバは前記環状爆燃チャンバ（３３、３６）に連結されてハイブリッドチャンバ（３４、３７、３８）を形成していることを特徴とする請求項７または８記載の爆轟波エンジン。
【請求項１０】
前記ハイブリッドチャンバ（３７、３８）は、同心延出体（３９、４０）が提供されている環状爆燃チャンバ（３６）の形態であることを特徴とする請求項９記載の爆轟波エンジン。
【請求項１１】
前記同心延出体（３９）は前記環状爆燃チャンバ（３６）の外部に配置されていることを特徴とする請求項１０記載の爆轟波エンジン。
【請求項１２】
前記同心延出体（４０）は前記環状爆燃チャンバ（３６）の内部に配置されていることを特徴とする請求項１０記載の爆轟波エンジン。
【請求項１３】
特にガスタービンであるエネルギー発生システムであって、請求項１から１２のいずれかに記載の少なくとも１つのエンジン（１）が提供されていることを特徴とするエネルギー発生システム。
【請求項１４】
特にラムジェット、タービンエンジンあるいはロケットタイプである飛行体の推進システムであって、請求項１から１２のいずれかに記載の少なくとも１つのエンジン（１）が提供されていることを特徴とする推進システム。
【請求項１５】
それぞれが噴射を変調できる噴射システム（４）を含んでいる少なくとも２つのエンジン（１）が提供されていることを特徴とする請求項１４記載の推進システム。
【請求項１６】
請求項１４または１５に記載の少なくとも１つの推進システム（２）が提供されていることを特徴とする飛行体。
【発明の詳細な説明】
【技術分野】
【０００１】
本発明は爆轟燃料／オキシダント（酸化剤）混合物で稼動する連続爆轟波エンジン並びにそのようなエンジンが搭載されている飛行体に関する。
【背景技術】
【０００２】
航空工学および宇宙工学分野で利用される大抵の推進システムは定圧熱力学燃焼サイクルに基づいている。
【０００３】
定容熱力学燃焼サイクルの利用はエンジンの理論性能を大きく向上させる（１５％から２５％）ことが知られている。しかし、大抵の航空体の変位速度のために定容燃焼の実現は非常に困難であり、システム構造が複雑となり、その実用性を困難にしている。
【０００４】
熱力学爆轟サイクルの利用はエネルギー効率の観点においては同様な利点を提供することができる。爆轟サイクルは定容サイクル（圧力の増加を制限するため、膨張のための十分な時間を与えないよう、その反応は低濃度の混合物内で非常に急速に発生する）に非常に類似しており、その熱力学効率は多少とも改善されている。
【０００５】
パルス式（間欠）爆燃エンジン（ＰＤＥ）は、片端が閉じられた管体が新燃料／オキシダント混合物により充填されており、爆轟がこの新混合物内で発生する爆燃エンジンとして知られている。爆轟波が管体に沿って移動する時間全体にわたって過剰圧力が閉じられた端部から外出し、瞬時に推進力を創出する。その後、管体での化学反応に起因する高温ガスの完全排出を待ち、新規爆轟波を発生させて新規な推進パルスを取得する前に管体を新混合物で再充填させることが必要である。
【０００６】
推進力のパルス特性（５０Ｈｚから２００Ｈｚにて稼動）は、エンジンの残り部分に対して非常に過酷な振動環境を発生させ、加えて、爆轟を開始するために各サイクル中にエネルギーを提供することを必要とする。このことは、低爆轟燃料／オキシダント剤の組み合わせを使用する意図があるときには全体効率の観点では大きな問題を提起する。これらの特徴は、その使用を非常に特殊な利用形態（例えば、単純で安価な音速以下のシステム）に限定するか、または、複数のＰＤＥタイプの管体が関与する複雑なシステムに限定する。
【０００７】
パルス式爆燃エンジンによって発生されるアプリオリ（演繹的）には非常に過酷な振動環境の問題を克服するために連続爆轟波エンジン（ＣＤＷＥ）の利用が可能である。このような連続爆燃エンジンでは、自立タイプの爆轟波に起因する連続的に生成される高温ガスが環状チャンバ内で発生される。燃料／オキシダント混合物はこの環状チャンバの一端で連続的に噴射される。その後に爆轟波が開始する。この爆轟波は新爆轟混合物内で周辺的に伝播する。発生される高温ガスは環状チャンバの残り部分内に膨張する。新混合物の噴射が連続的であるため、爆轟波がその開始点に戻ると、それは新混合物に再遭遇し、その周辺運動を継続する。すなわち連続的となる。
【０００８】
従って、数キロヘルツ（３０ｋＨｚまで）の周波数である一連の周辺爆轟波がチャンバの開いた端部に向かって膨張する高温ガスを発生させるような環状チャンバが利用できる。よって、定圧燃焼チャンバの場合と同様に、爆燃チャンバから排出されるとき比較的に均質である特徴を備えた超音速流を形成する高温ガスの発生装置が存在する。
【０００９】
このＣＤＷＥエンジンの利点は、熱力学サイクルの観点において、その爆轟が定圧燃焼の場合よりも１５％から２５％改善された効率（ＰＤＥエンジンの場合同様）を有することである。さらに、その稼動原理は、パルス式爆燃エンジン（ＰＤＥ）の場合のような非常に過酷な振動環境の発生を妨害する。
【００１０】
しかしながら、このＣＤＷＥ連続爆燃エンジンの利用は、爆燃チャンバの閉じた略環状形状の使用によって制限を受ける。この環状チャンバは、その上流端にリング状の横断面（以降“噴射基部”と称する）を含むが、その幅は一定であり、その長さは、一般的には閉じた輪である閉じた曲線を形成する一般線によって定められる。しかし、最大稼動レベルは、比較的に狭い範囲の局所的な稼動条件（特に燃料／オキシダント剤混合物の濃度）でのみ達成が可能である。従って、このチャンバの全てのポイントで十分なエネルギー効率を得るのに必要な条件に適応しながら非常に広範な利用範囲内で稼動する環状チャンバを設計することは困難である。
【発明の概要】
【発明が解決しようとする課題】
【００１１】
従って、本発明の目的は、特にそれら弱点を克服することで上述の連続爆燃エンジンを改良することである。
【課題を解決するための手段】
【００１２】
この目的の達成のため、本発明によれば、爆轟燃料／オキシダント混合物によって稼動する連続爆轟波エンジンは、
−少なくとも１つの爆燃チャンバと、
−上流端で爆燃混合物を爆燃チャンバ内に連続的に噴射するための噴射システムと、
を含んでおり、この爆燃チャンバは上流端の噴射基部と、噴射基部の両側でそれぞれ延びる２つの壁部とを含んでおり、連続爆轟波エンジンはさらに、
−爆燃チャンバ内に置かれ、爆燃混合物内で爆轟波を発生させる発生手段を含んでおり、爆轟波は爆燃混合物内で伝播し、連続的な自動発生爆轟波を創出して高温ガスを連続的に生成し、この爆轟エンジンにおいては、
爆燃チャンバは、その長さが開いた線（open line）によって定められる噴射基部を含んでおり、横断面に長形形状を有する爆燃チャンバを形成し、噴射システムは、燃料／オキシダント混合物を噴射基部の少なくとも１部分で爆燃チャンバ内に噴射するように設置されている。この噴射システムは特に（発生手段によって発生された波と共に）一連の爆轟波（自然発生されたもの）を爆燃チャンバ内で創出させる特殊局所条件を発生させるように形成されている。
【００１３】
このように本発明によれば、（閉じた）環形状を有せず（環形状に限定されず）、以下で説明するような複数の他の異なる（開いた）形状を有することができる爆燃チャンバを含んだ連続爆轟波エンジンが得られる。
【００１４】
この爆燃チャンバは長形上流噴射基部を含み、その長さは任意の開いた（閉じてはいない）形状のものであり、特に直線状または湾曲状であり、環状チャンバではない。このチャンバはさらに２つの壁部を含んでおり、それら壁部は好適には平行であり、この噴射基部の両側でそれぞれ延びている。よって、この爆燃チャンバは、縁部で結合する複数面（平面または非平面）を含んだ立体形状を有している。特にこの爆燃チャンバは任意の六面体（六面を有する多面体）の形態であり、特に平行六面体（平行面の組み合わせを有した六面体）である。このように直線で形成された長方形噴射基部の場合には、チャンバは、例えば、直方体（その全面が長方形）の一般形状を有することができる。
【００１５】
本発明の爆燃チャンバに想定できる複数の形状の可能性によって、従来タイプの環状爆燃チャンバエンジンと比較して本発明のエンジンの可能な利用形態が大きく増加した。よって、以下で解説するように前述の弱点の克服が可能になっている。
【００１６】
最初の爆轟波（発生手段によって発生）の下流の爆燃チャンバ内部には、新混合物（噴射システムにより噴射）の層が存在するが、この層は高温ガスと接触しており、定義可能（特に経験則）である特定条件下にあるため、新規な自動発生爆轟波を発生させる。本発明によれば、噴射基部に沿った爆燃チャンバ内のこの一連の連続爆轟波（自動発生すなわち自然発生）は、毎回自動発生させる局所条件の発生（先行波および噴射システムによる）によって得られる。噴射区域を越えたところで噴射基部に沿って爆轟波は退化して単一圧縮波となる。
【００１７】
本発明においては、爆燃チャンバの両端（噴射基部の各端部）は互いに独立して開閉することができ、爆轟波の発生（発生手段による）は爆燃チャンバの噴射基部に沿った任意の箇所で可能である。
【００１８】
本発明の前述の特殊な特徴によって多数の利用形態が考えられ、特に液体燃料推進ロケットエンジン、タービンエンジンシステムまたはラムジェットでさえも可能である。
【００１９】
１つの特殊な例では、この噴射システムは噴射基部に沿った可変長にわたって噴射を提供できる。このシステムは以下の利点を提供する。
【００２０】
−要求される推進力（ラムジェットの場合）または全濃度（タービンエンジンの場合）に関して広範囲の最良の稼動が可能であり、チャンバの長さの大部分または小部分に供給され、残り部分には酸化剤（空気、アプリオリ）が供給されるだけであり、
−始動時の衝撃の限定および連続的な速度の増加が得られる。
【００２１】
さらに、この場合には、飛行体の回転軸の両側にそれぞれ推進力を発生させるために、このタイプの２つのエンジンが飛行体に搭載されたら、この回転軸周囲における飛行体の回転は非対称の噴射によって発生できる。例を挙げれば、航空機のそれぞれの翼にこのようなエンジンを搭載し（噴射基部は対応する翼の後方縁部に沿って提供）、これら２つのエンジンに異なる噴射形態を実行させることで偏揺モーメントを創出することが可能である。よって、非対称の噴射変調によって航空機を制御する助力を創出することが可能である。
【００２２】
さらに、有利にはエンジンは、爆燃チャンバのために少なくとも１つの冷却回路を含むことができる。この冷却回路の燃料はチャンバ内に噴射される前に循環できる。好適には、この冷却回路は爆燃チャンバの少なくとも１側壁に沿って、少なくともその一部を延びている。
【００２３】
このように、爆燃チャンバは、チャンバ内に噴射する前に燃料の全部または一部を利用して冷却が可能である。これで、噴射される燃料の少なくとも一部を回路内の循環時に揮発させることで爆燃チャンバの熱抵抗が確実に提供される。揮発前燃料の直接噴射によって燃料と空気の爆燃混合物の爆轟の開始および安定性が保障される。燃料滴下物の揮発の遅延および化学反応に関する問題も防止される。
【００２４】
さらに１つの特殊例では、この爆燃チャンバは噴射基部に分岐部を有しており、この分岐部を越えて少なくとも２つの長形枝部を提供する。それぞれの長形枝部には噴射システムによって爆燃混合物が供給され、２つの枝部の爆轟波の伝播によって２本の推進力線を創出する。
【００２５】
この場合、有利には噴射システムは、それぞれの長形枝部にさらに長く、あるいは短く供給し、このエンジンを備えた飛行体を制御（ベクトル推進）する可能性を提供するように設計することができる。
【００２６】
さらに、１つの特殊例では、エンジンは分岐チャンバに加えて環状爆燃チャンバを含んでおり、この分岐チャンバは環状チャンバに接続されてハイブリッドチャンバを形成している。よって、この特殊例は環状チャンバの利点（確実な稼動安定性）と分岐チャンバの利点とを組み合わせている。以下はこれらの利点である。
【００２７】
−広範囲の条件（推進力／濃度）にわたる最良稼動：チャンバの長さのさらに長いか短い部分が供給され、残り部分には酸化剤（空気、アプリオリ）のみが供給される。
−始動時に衝撃制限：環状チャンバのみが始動する。
−配分された推進力（および配分された制御）が得られる。
【００２８】
さらに１特殊例では、このハイブリッドチャンバは可変供給長の同心延出部（または枝部）が提供されている環状爆燃チャンバの形態である。これら同心延出部は環状爆燃チャンバの内部または環状爆燃チャンバの外部に提供できる。これで、さらに長いか短い延出部に燃料（またはロケットシステムでは燃料と酸化剤）を供給することによって連続的に推進力を変調することが容易になる。同様に（ラムジェットまたはロケットの）推進力の方向性を制御することも容易になる。
【００２９】
本発明はさらに前述のごとく、少なくとも１つの連続爆轟波エンジンを備えた飛行体のための推進力システム（例えば、ラムジェット、タービンエンジンまたはロケット型）にも関する。
【００３０】
１つの特殊例では、この推進力システムには少なくとも２つのこの種のエンジンが提供される。それぞれのエンジンは噴射を変調させることができる噴射システムを含んでいる。従って、飛行体の制御を助ける非対称型噴射変調を実行することが可能になる。
【００３１】
本発明はさらに、上述したようなエンジン及び／又は推進力システムが提供されている飛行体、特に飛行機またはミサイルにも関する。
【００３２】
本発明は、上述のごとき少なくとも１つの連続爆轟波エンジンが提供されている地上設置式のエネルギー発生システム、特にガスタービンにも適用できる。
【００３３】
添付図面は本発明が如何に実施されるかを図示している。これら図面では、同一参照番号は同一要素を表す。
【図面の簡単な説明】
【００３４】
【図１】２つの異なる形状の爆燃チャンバのそれぞれのための本発明による連続爆轟波エンジンの概略斜視図である。
【図２】２つの異なる形状の爆燃チャンバのそれぞれのための本発明による連続爆轟波エンジンの概略斜視図である。
【図３】分岐爆燃チャンバを含んだ本発明によるエンジンの特殊実施例の斜視図である。
【図４】図３の概略平面図である。
【図５】ハイブリッドチャンバを含んだ本発明のエンジンの特殊実施例の概略図である。
【図６】内部延出部および外部延出部をそれぞれに含んでいるハイブリッドチャンバを有したエンジンの実施例を図示する概略図である。
【図７】内部延出部および外部延出部をそれぞれに含んでいるハイブリッドチャンバを有したエンジンの実施例を図示する概略図である。
【発明を実施するための形態】
【００３５】
本発明の図１で概略的に示すエンジン１は連続爆轟波エンジンであり、飛行体に搭載されることによって、航空工学分野及び／又は宇宙工学分野で使用されるように設計されている推進システム２に属する。
【００３６】
便利な形態では、この連続爆轟波エンジン１は、燃料とオキシダント（特に空気）の爆燃混合物により稼動し、通常の形態で、少なくとも１つの爆燃チャンバ３と、上流端５で爆燃混合物の成分（燃料とオキシダント；これら成分は従来型の保存手段６と７から得られる）を爆燃チャンバ３内に連続的に噴射するための噴射システム４と、概略的に図示されている発生手段８とを含んでいる。
【００３７】
これら従来型の発生手段８（例えば、点火ワイヤあるいは予爆燃管）は爆燃チャンバ３内に置かれ、爆燃混合物内で爆轟波を発生させて混合物内に伝播させ、連続自動発生爆轟波を発生させ、高温ガスを連続的に生成し、開いた下流端９を通って爆燃チャンバ３から逃避させる。
【００３８】
この説明においては、上流および下流の概念は、ガス流方向Ｅとの関連で定義されている。
【００３９】
本発明によれば、爆燃チャンバ３は上流端５（流方向Ｅとの関連）の入口に噴射基部１０と称する横断面を含む。この横断面は、ガス流方向Ｅに対して定められる爆燃チャンバ３の長手方向を横断する。この噴射基部１０は、横断面に非環状の長形形状を有した爆燃チャンバ３を形成する開いた線（open line）によって決定される長さＬ１を有する。噴射基部１０の幅Ｌ２は可変でもよいが、好適には一定である。
【００４０】
この上流噴射基部１０は、従来の環状チャンバではなく、任意の開いた形状（閉じてはいない）特に直線あるいは曲線である長さを有することができる。爆燃チャンバ３はさらに、例えば平行で、噴射基部１０の両側に沿ってそれぞれ延びる２つの壁部１２と１３を含む。従って爆燃チャンバ３は、縁部で遭遇する複数の面（平坦面または非平坦面）、特に６面を有する立体形状を有する。図１と図２の実施例においては、爆燃チャンバ３は、上流端５の噴射基部１０、下流端９の開いた面１４、２つの壁部１２と１３、および開いた線に沿った噴射基部１０の２つの端部の２つの面１５と１６である６面を含んでいる。
【００４１】
爆燃チャンバ３は任意の六面体（６つの平面を有する多面体）の形態でよく、特に平行六面体（平行面の組を有した六面体）の形態でよい。
【００４２】
図１の実施例では、噴射基部１０の長さは、例えば線１７によって図示されているように曲線で提供される。
【００４３】
さらに、直線（線１８で示すような長方形の長さＬ１）により定められる長方形噴射基部１０の場合には、爆燃チャンバ３は図２に図示するように、例えば長方形平行六面体（全面が平坦で長方形）の形状である。
【００４４】
このように本発明のエンジン１は、環状形状を有さず（環状形状に限定されない）、複数の他の異なる形状を有することができる爆燃チャンバ３を含んでいる。
【００４５】
さらに本発明によれば、噴射システム４は図２で示すように噴射基部１０の少なくとも１部分２０で燃料／オキシダント混合物を噴射するように設計されている。この噴射システム４は特に特殊な局所条件を発生（発生手段８により発生される爆轟波共々）するように設計されており、爆燃チャンバ３内で連続的な爆轟波（自然発生）を創出させる。この連続的な爆轟波の創出のための特殊な局所条件は、特に経験に即して専門家によって決定できるものである。
【００４６】
従来の発生手段８（例えば点火ワイヤまたは予爆燃管）が爆燃チャンバ３内に設置され、爆燃波８を爆燃混合物内に発生させ、続いて爆燃波を噴射基部１０の長手方向（矢印Ｆ）に爆燃混合物内で伝播させ、自動的に発生される連続爆燃波２２を発生させる。この爆轟波は噴射基部１０に沿って新爆燃混合物内で伝播し、生成される高温ガスは爆燃チャンバ３の残り部分内に膨張し（爆轟生成物の膨張を示す線２３で図示）、爆燃チャンバ３の開いた端部９を通って排出されるであろう。爆燃チャンバ３の開いた端部９の方向に膨張する高温ガスは異なる用途に利用でき、特にパイプによって加速されることで推進力を得るように利用できる。
【００４７】
図２で示すように、噴射区域（または部分）２０を越えると、噴射基部１０に沿って爆轟波は単一の圧縮波２４に衰退する。図２の実施例では、様々な噴射区域２５が図示されているが、それらの一部だけに供給される（矢印２６）。
【００４８】
本発明によれば、爆燃チャンバ３の端部１５と１６は互いに独立的に開閉できる。さらに発生場所（発生手段８により実行）は噴射基部１０の任意の場所とすることができる。
【００４９】
本発明の爆燃チャンバに想定できる複数の形状のおかげで、専用環状爆燃チャンバを有する従来のエンジンよりもエンジン１の可能な利用性は相当程度に増大している。
【００５０】
このように、特に液体推進ロケットエンジン、タービンエンジンシステムあるいはラムジェットのために多数の利用形態が考えられる。
【００５１】
さらに、噴射システム４は空気とは別々に従来の燃料を噴射する。従って予混合物の噴射は意図されず、爆燃チャンバ３の上流での点火の危険を回避する。さらに液体炭化水素のごとき保存可能な燃料の場合には、再生回路（図示せず）を利用することが可能であり、燃料を予め揮発させ（噴射前）て、予め混合せずに十分な混合と爆轟条件が得られる。好適には、燃料が循環するこの再生回路（または冷却回路）は、爆燃チャンバ３の少なくとも１側壁に沿って、その長さの少なくとも一部で延びる。
【００５２】
１特殊実施例では、この噴射システム４は、噴射基部１０に沿って可変長で噴射することができる。よって噴射基部１０に沿って様々な噴射区域２５を提供でき、そのいくつかに供給できる（図２の矢印２６）。従って、これらの様々な噴射区域２５には別々の噴射手段を提供することができる。
【００５３】
この特定実施例によって、爆燃チャンバ３のさらに大きいか小さい部分に燃料及び／又は酸化剤を供給し、推進力を変調することができる（航空システムのためには燃料噴射の変調だけが提供される）。
【００５４】
このタイプの２つのエンジン１が飛行体に搭載され、回転軸の両側にそれぞれ推進力が発生されるなら、この飛行体の回転が非同期的噴射によってこの軸周囲に発生される。簡単に説明すると、このようなエンジン１は飛行機（図示せず）の翼のそれぞれに搭載でき、チャンバ３の噴射基部１０は対応する翼の後方縁部に沿って毎回提供され、これら２つのエンジン１に異なる噴射形態を実行させることで偏揺モーメントが創出できる。よって、（可変供給長を備えた）複数のエンジン１を含んだ推進システム２を提供することで、非対称的な噴射変調による飛行体の制御に貢献する可能性が創出できる。
【００５５】
さらに、１特殊実施例では、この爆燃チャンバ３は噴射基部１０に図３と図４で示すように分岐部２７を有しており、この分岐部２７を越えて少なくとも２つの長形枝部２８と２９が提供されて分岐チャンバ３０を形成する。それぞれの枝部２８と２９には、図４で図示する噴射線を表す一連の点で示すように噴射システム４によって爆燃混合物が供給される。この特殊実施例は、２つ（以上）の枝部２８と２９で爆轟波を伝播させることで２つ（以上）の推進力線を創出させる。もちろん、それぞれのエンジン１は、図面の単純化のためにチャンバのみが図３と図４および図５から図７に示されていても、爆燃チャンバ以外に加えて前述の全ての手段を含み、特に、その稼動に必要な噴射システム４と発生手段８を含んでいる。図４から図７では爆燃波２２の移動方向が矢印Ｆの手段で示されている。
【００５６】
分岐チャンバ３０の場合には、噴射システム４は、図４の２つの矢印Ｄ１とＤ２で示すように、さらに長いか短い長さにわたって枝部２８と２９に供給でき、よって噴射条件の非対称化によって（操作可能なパイプなしで）エンジン１を搭載した飛行体の推進力のベクトル制御を実現する可能性を提供する。これで、これら枝部２８と２９とには、互いに独立して継時的に変化する長さにわたって供給できる。
【００５７】
さらに、図５で示す１特殊実施例では、エンジン１は分岐チャンバ３０に加えて従来型の環状爆燃チャンバ３３を含むことができる。さらに、この分岐チャンバ３０は環状チャンバ３３に（さらに長いか短い連結部によって）接続されており、ハイブリッドチャンバ３４を得る。よってこの特殊実施例は環状チャンバの利点（確実な稼動安定性）と分岐チャンバの利点とを組み合わせる：
広範囲の条件（押力／濃度）にわたる最良稼動：チャンバのさらに長いか短い長さに供給され、残りには酸化剤のみが供給される（空気、アプリオリ）；
始動衝撃の限定：上流に設置された環状チャンバのみが始動；
配分された推進力（および配分された制御）。
【００５８】
さらに、このハイブリッドチャンバ３４の環状チャンバ３３は１以上の分岐部２７によって１以上の追加延出体３５（または枝部）にも接続できる。
【００５９】
さらに図６および図７で示す１特殊実施例では、ハイブリッドチャンバ３７と３８は、延出体３９と４０が（分岐部２７を介して）提供されている環状爆燃チャンバ３６の形態で提供できる。これら延出体３９と４０は環状チャンバ３６に対して同心である。好適には、例えばその４体が存在するこれら延出体３９と４０は環状チャンバ３６の（内部または外部）周辺に均等に配分されており、矢印Ｄ３ＡからＤ３ＢおよびＤ４ＡからＤ４Ｂで示すように可変供給長を有することができる。１特殊実施例では、燃料供給長を変動させるために、例えば燃料供給システム４と爆燃チャンバ３との間で回転し、燃料ヘッダに提供された、さらに長いか短い長方形の開口部を露出するディスクを提供することが可能である。
【００６０】
図６の特定変形例では、同心延出体３９は爆燃チャンバ３６の内部に放射状に提供されており、図７の変形例では、同心延出体４０は環状爆燃チャンバ３６の外側で放射状に提供されている。
【００６１】
これら延出体３９と４０の、さらに長いか短い長さ（Ｄ３ＡからＤ３ＢおよびＤ４ＡからＤ４Ｂ）に燃料（ロケットシステムでは燃料と酸化剤）を供給することで推進力を連続的に変調することは容易である。同様に、（ラムジェットまたはロケットの）推進力の方向性の容易な制御も可能である。
【００６２】
このようなハイブリッドチャンバ３７と３８は、特にラムジェット、タービンエンジンまたはロケットエンジンにおける単体の環状チャンバまたは同心環状チャンバの交換に利用できる。
【図１】
0006006785.tif 000002
【図２】
0006006785.tif 000003
【図３】
0006006785.tif 000004
【図４】
0006006785.tif 000005
【図５】
0006006785.tif 000006
【図６】
0006006785.tif 000007
【図７】
0006006785.tif 000008